(57)【要約】      （修正有）【課題】ドア閉時シール部が車内側に浮き上がり難くして外観とシール性の向上を図り、かつセンターピラーの幅が狭く取付基部の取付けスペースが狭い場合でも取付けを容易にしたドア見切り部のウエザーストリップ構造を提供する。【解決手段】リアドア３の前端部に比較的近い位置に該リアドア３のインナープレート５が所定角度β立ち上がる縦壁６が形成されると共に、ウエザーストリップ７がリアドア３の前端部に略平行のシール部９に対し、取付基部８が縦壁６に沿う如く屈曲成形され、リアドア３への取付けの際取付基部８が縦壁６に固定されて成る。【選択図】図１
2005297934.tif 000002
【特許請求の範囲】
【請求項１】
リアドア３の前端部近傍に取付けられる取付基部８に一体に設けられて、該リアドア３の閉時に、センターピラー１の前側面付近でフロントドア２の後端部に当接する中空状のシール部９を備えたウエザーストリップ構造において、前記リアドア３の前端部に比較的近い位置に該リアドア３のインナープレート５が所定角度β立ち上がる縦壁６が形成されると共に、ウエザーストリップ７が前記リアドア８の前端部に略平行の前記シール部９に対し、前記取付基部８が前記縦壁６に沿う如く屈曲成形され、リアドア３への取付けの際前記取付基部８が縦壁６に固定されて成ることを特徴とするドア見切り部のウエザーストリップ構造。
【請求項２】
請求項１記載のウエザーストリップ７の取付基部８の中空状のシール部９に対する屈曲角度αが、前記リアドア３の前端部に対する前記縦壁６の立ち上がり角度βよりも幾分大き目に屈曲成形され、ウエザーストリップ７の取付基部８が縦壁６に固定された際、前記シール部９が前記リアドア３の前端部に対し押圧する如く構成されたことを特徴とするドア見切り部のウエザーストリップ構造。
【発明の詳細な説明】
【技術分野】
【０００１】  本発明は、リアドアとフロントドアとの間（見切り部）をシールするウエザーストリップ構造に関するものである。
【背景技術】
【０００２】  従来は図３に示すようなスライド式リアドア３を備えた自動車において、リアドア３を閉じたときの状態をＡ−Ａ線に沿う断面図として図４に示す。図４において、センターピラー１を中心にして前方にはフロントドア２が、また後方にリアドア３が位置する。ここで、リアドア３は矢線ｐで示したような軌跡を描いて開閉する。リアドア３の前端部内側に取付基部１１をクリップ１０で固定されたウエザーストリップ１２が取付けられ、この取付基部１１に一体に設けられたリップ状のシール部１３がリアドア３の閉時に前記フロントドア２の後端部内面に当接してフロントドア２とリアドア３の間（見切り部）をシールするようになっている。
【発明の開示】
【発明が解決しようとする課題】
【０００３】  ところが、前記ウエザーストリップ１２がリアドア３の前端部内側に取付けられた際、取付基部１１に対しリップ状のシール部１３が略直線状に設けられているため、ドア閉時このシール部１３が車内側に浮き上がり外観とシール性が損なわれ易いという不具合があった。また、図１に示す如くセンターピラー１の幅ｈ１が図４の場合の幅ｈ２に比べて狭い場合、取付基部１１のリアドア３の前端部内側への取付けスペースが狭くなり取付け難いという問題があった。  そこで、本発明はかかる従来の課題に鑑みて、ドア閉時シール部が車内側に浮き上がり難くして外観とシール性の向上を図り、かつセンターピラーの幅が狭く取付基部のリアドアの取付けスペースが狭い場合でも取付けを容易にしたドア見切り部のウエザーストリップ構造を提供することを目的とする。
【課題を解決しようとする手段】
【０００４】  かかる目的を達成するために本発明の構成は、図１に示すように、リアドア３の前端部近傍に取付けられる取付基部８に一体に設けられて、該リアドア３の閉時に、センターピラー１の前側面付近でフロントドア２の後端部に当接する中空状のシール部９を備えたウエザーストリップ構造において、前記リアドア３の前端部に比較的近い位置に該リアドア３のインナープレート５が所定角度β立ち上がる縦壁６が形成されると共に、ウエザーストリップ７が前記リアドア３の前端部に略平行の前記シール部９に対し、前記取付基部８が前記縦壁６に沿う如く屈曲成形され、リアドア３への取付けの際前記取付基部８が縦壁６に固定されて成るものであり、  また、図２に示す前記ウエザーストリップ７の取付基部８の中空状のシール部９に対する屈曲角度αが、前記リアドア３の前端部に対する前記縦壁６の立ち上がり角度βよりも幾分小さ目に屈曲成形され、ウエザーストリップ７の取付基部８が縦壁６に固定された際、前記シール部９が前記リアドア３の前端部に対し押圧する如く構成されたものである。
【発明の効果】
【０００５】  本発明の見切り部のウエザーストリップ構造は、リアドア３の前端部より比較的近い位置にインナープレート５が所定角度立ち上がる縦壁６が形成されると共に、ウエザーストリップ７が、リアドア３の前端部に略平行の中空状のシール部９に対し取付基部８が前記縦壁６に沿う如く屈曲成形され、また該取付基部８の屈曲成形の角度αが、リアドア３の前端部４に対する前記縦壁６の立ち上がり角度βよりも幾分小さ目に屈曲成形されているため、センターピラー１の幅ｈ１が狭く取付基部８のリアドア３前端部内側への取付けスペースが狭い場合でも取付け容易となり、またドア閉時にシール部９が車内側に浮き上がるのを防止してシール性の向上を図ることができるという特長がある。
【発明を実施するための最良の形態】
【実施例】
【０００６】  以下、本発明の実施例を図に基づいて詳細に説明する。図３はスライド式リアドアを備えた自動車の側面図であり、図１はそのＡ−Ａ線に沿う断面図である。センターピラー１を中心にして前方にはフロントドア２が、また後方にリアドア３が位置している。リアドア３はセンターピラー１の幅ｈ１が図４に示すセンターピラー１ａの幅ｈ２に比べてがかなり狭いため、前端部４より比較的近い位置にインナープレート５が所定角度立ち上がる縦壁６が形成されている。【０００７】  前記リアドア３に取付けられるウエザーストリップ７は、取付基部８と一体に設けた中空状のシール部９から構成され、リアドア３の前端部に略平行の中空状のシール部９に対し取付基部８が前記縦壁６に沿う如く屈曲成形されている。また、ウエザーストリップ７は中空状のシール部９に対する取付基部８の屈曲角度αが、一点鎖線で示す如く前記リアドア３の前端部に対する前記縦壁６の立ち上がり角度βよりも幾分小さ目に屈曲成形されている。従って、ウエザーストリップ７が取付基部８を縦壁６にクリップ１０又は両面テープで固定して取付けられた際に、ドア閉時前記シール部９が前記屈曲角度αの小さい分縮設されるため、前記リアドア３の前端部に対し押圧してシール性を向上する。なお、前記シール部９が中空状の場合はリップ状の場合よりも組み付けのバラツキに追従し易く、またドア閉時見切り部での飛び出しが中空状の方が発生し難い。  また、本発明は実施例でリアドア３をスライド式の場合につき説明したが、ヒンジ式のリアドアにも適用される。【０００８】  図２に示すように、本発明のウエザーストリップの中空シール部は、フロントドアとリアドアの見切り部をシールするすることが主目的のため、中空シール部はセンターピラー部と弾接させる設定にはしていない。また、中空部は取付基部の側壁に連結され中空部の車内側はフロントドア先端部と略平行な車内側側壁と車外側に凸の山形の車外側壁からなり、車外側壁の凸の山形の頂部がフロントドア後端とリアドア先端の見切り部に位置させ、凸の山形部がはみ出さないように略面一となるようにはいちしている。  また、図２に示すように中空状のシール部９はシール性の観点からスポンジゴムとするのが好ましく、取付基部８は取付け時の剛性確保の観点からソリッドゴムとし肉厚とするのが好ましい。又取付基部のクリップ固定部の肉厚についてはクリップ形状に合わせて多少薄肉としてもよい。また、ドアパネル先端折り返し部車内側には防錆目的のペイントシーラーが設けられるのが通常であるため、このペイントシーラーとの干渉を防止するために基底部立ち上がり部に凹部を設けるのが好ましい。また、本ウエザーストリップはスライドドア車とヒンジドア車の両方に適用可能である。
【図面の簡単な説明】
【０００９】
【図１】本発明のドア見切り部のウエザーストリップ構造の断面図である。
【図２】同上の要部を示す断面図である。
【図３】スライド式リアドアを備えた自動車の側面図である。
【図４】従来のドア見切り部のウエザーストリップ構造の断面図である。
【符号の説明】
１          センターピラー    １ａ        センターピラー    ２          フロントドア    ３          リアドア    ４          前端部    ５          インナープレート    ６          縦壁    ７          ウエザーストリップ    ８          取付基部    ９          シール部    １０        クリップ    １１        取付基部    １２        ウエザーストリップ    １３        シール部
【図１】
2005297934.tif 000003
【図２】
2005297934.tif 000004
【図３】
2005297934.tif 000005
【図４】
2005297934.tif 000006